【手続補正書】
【提出日】平成20年3月4日(2008.3.4)
【手続補正１】
【補正対象書類名】特許請求の範囲
【補正対象項目名】全文
【補正方法】変更
【補正の内容】
【特許請求の範囲】
【請求項１】
曲を構成する各音毎に臨時記号の要否を判定する要否判定手段と、
前記要否判定手段により臨時記号を必要とする対象音と判定された場合、その対象音より時間的に前方に存在し、かつ当該対象音と同じ小節内で同音高の該当音を検索する検索手段と、
前記検索手段により該当音が検索された場合に、その該当音に付与されている臨時記号を、対象音の臨時記号に設定する臨時記号設定手段と、
前記臨時記号設定手段により対象音に設定された臨時記号を、曲を構成する各音と共に楽譜上に表示する表示手段と
を具備することを特徴とする臨時記号表示装置。
【請求項２】
曲を構成する各音毎に臨時記号の要否を判定する要否判定手段と、
前記要否判定手段により臨時記号を必要とする対象音と判定された場合、その対象音より時間的に前方に存在し、当該対象音と同音高の該当音を検索する検索手段と、
前記検索手段により該当音が検索された場合に、その該当音に付与されている臨時記号を、対象音の臨時記号に設定する臨時記号設定手段と、
前記臨時記号設定手段により対象音に設定された臨時記号を、曲を構成する各音と共に楽譜上に表示する表示手段と
を具備することを特徴とする臨時記号表示装置。
【請求項３】
曲を構成する各音毎に臨時記号の要否を判定する要否判定手段と、
前記要否判定手段により臨時記号を必要とする対象音と判定された場合、その対象音と時間的に対応する和音の構成音中に、当該対象音と同音高の該当音を検索する検索手段と、
前記検索手段により該当音が検索された場合に、その該当音に付与されている臨時記号を、対象音の臨時記号に設定する臨時記号設定手段と、
前記臨時記号設定手段により対象音に設定された臨時記号を、曲を構成する各音と共に楽譜上に表示する表示手段と
を具備することを特徴とする臨時記号表示装置。
【請求項４】
曲を構成する各音毎に臨時記号の要否を判定する要否判定手段と、
前記要否判定手段により臨時記号を必要とする対象音と判定された場合、その対象音より時間的に後方に存在し、かつ当該対象音と同じ小節内において当該対象音の音高と半音差の該当音を検索する検索手段と、
前記検索手段により該当音が検索された場合に、対象音の音高と該当音の音高との高低関係に応じて対象音に付与する臨時記号を決定する臨時記号決定手段と、
前記臨時記号決定手段により対象音に付与された臨時記号を、曲を構成する各音と共に楽譜上に表示する表示手段と
を具備することを特徴とする臨時記号表示装置。
【請求項５】
曲を構成する各音毎に臨時記号の要否を判定する要否判定処理と、
前記要否判定処理により臨時記号を必要とする対象音と判定された場合、その対象音より時間的に前方に存在し、かつ当該対象音と同じ小節内で同音高の該当音を検索する検索処理と、
前記検索処理により該当音が検索された場合に、その該当音に付与されている臨時記号を、対象音の臨時記号に設定する臨時記号設定処理と、
前記臨時記号設定処理により対象音に設定された臨時記号を、曲を構成する各音と共に楽譜上に表示する表示処理と
をコンピュータで実行させることを特徴とする臨時記号表示プログラム。
【請求項６】
曲を構成する各音毎に臨時記号の要否を判定する要否判定処理と、
前記要否判定処理により臨時記号を必要とする対象音と判定された場合、その対象音より時間的に前方に存在し、当該対象音と同音高の該当音を検索する検索処理と、
前記検索処理により該当音が検索された場合に、その該当音に付与されている臨時記号を、対象音の臨時記号に設定する臨時記号設定処理と、
前記臨時記号設定処理により対象音に設定された臨時記号を、曲を構成する各音と共に楽譜上に表示する表示処理と
をコンピュータで実行させることを特徴とする臨時記号表示プログラム。
【請求項７】
曲を構成する各音毎に臨時記号の要否を判定する要否判定処理と、
前記要否判定処理により臨時記号を必要とする対象音と判定された場合、その対象音と時間的に対応する和音の構成音中に、当該対象音と同音高の該当音を検索する検索処理と、
前記検索処理により該当音が検索された場合に、その該当音に付与されている臨時記号を、対象音の臨時記号に設定する臨時記号設定処理と、
前記臨時記号設定処理により対象音に設定された臨時記号を、曲を構成する各音と共に楽譜上に表示する表示処理と
をコンピュータで実行させることを特徴とする臨時記号表示プログラム。
【請求項８】
曲を構成する各音毎に臨時記号の要否を判定する要否判定処理と、
前記要否判定処理により臨時記号を必要とする対象音と判定された場合、その対象音より時間的に後方に存在し、かつ当該対象音と同じ小節内において当該対象音の音高と半音差の該当音を検索する検索処理と、
前記検索処理により該当音が検索された場合に、対象音の音高と該当音の音高との高低関係に応じて対象音に付与する臨時記号を決定する臨時記号決定処理と、
前記臨時記号決定処理により対象音に付与された臨時記号を、曲を構成する各音と共に楽譜上に表示する表示処理と
をコンピュータで実行させることを特徴とする臨時記号表示プログラム。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
請求項５に記載の発明では、曲を構成する各音毎に臨時記号の要否を判定する要否判定処理と、前記要否判定処理により臨時記号を必要とする対象音と判定された場合、その対象音より時間的に前方に存在し、かつ当該対象音と同じ小節内で同音高の該当音を検索する検索処理と、前記検索処理により該当音が検索された場合に、その該当音に付与されている臨時記号を、対象音の臨時記号に設定する臨時記号設定処理と、前記臨時記号設定処理により対象音に設定された臨時記号を、曲を構成する各音と共に楽譜上に表示する表示処理とをコンピュータで実行させることを特徴とする。
【手続補正６】
【補正対象書類名】明細書
【補正対象項目名】００１４
【補正方法】変更
【補正の内容】
【００１４】
請求項６に記載の発明では、曲を構成する各音毎に臨時記号の要否を判定する要否判定処理と、前記要否判定処理により臨時記号を必要とする対象音と判定された場合、その対象音より時間的に前方に存在し、当該対象音と同音高の該当音を検索する検索処理と、前記検索処理により該当音が検索された場合に、その該当音に付与されている臨時記号を、対象音の臨時記号に設定する臨時記号設定処理と、前記臨時記号設定処理により対象音に設定された臨時記号を、曲を構成する各音と共に楽譜上に表示する表示処理とをコンピュータで実行させることを特徴とする。
【手続補正７】
【補正対象書類名】明細書
【補正対象項目名】００１５
【補正方法】変更
【補正の内容】
【００１５】
請求項７に記載の発明では、曲を構成する各音毎に臨時記号の要否を判定する要否判定処理と、前記要否判定処理により臨時記号を必要とする対象音と判定された場合、その対象音と時間的に対応する和音の構成音中に、当該対象音と同音高の該当音を検索する検索処理と、前記検索処理により該当音が検索された場合に、その該当音に付与されている臨時記号を、対象音の臨時記号に設定する臨時記号設定処理と、前記臨時記号設定処理により対象音に設定された臨時記号を、曲を構成する各音と共に楽譜上に表示する表示処理とをコンピュータで実行させることを特徴とする。
【手続補正８】
【補正対象書類名】明細書
【補正対象項目名】００１６
【補正方法】変更
【補正の内容】
【００１６】
請求項８に記載の発明では、曲を構成する各音毎に臨時記号の要否を判定する要否判定処理と、前記要否判定処理により臨時記号を必要とする対象音と判定された場合、その対象音より時間的に後方に存在し、かつ当該対象音と同じ小節内において当該対象音の音高と半音差の該当音を検索する検索処理と、前記検索処理により該当音が検索された場合に、対象音の音高と該当音の音高との高低関係に応じて対象音に付与する臨時記号を決定する臨時記号決定処理と、前記臨時記号決定処理により対象音に付与された臨時記号を、曲を構成する各音と共に楽譜上に表示する表示処理とをコンピュータで実行させることを特徴とする。
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】変更
【補正の内容】
【００２０】
請求項１、５に記載の発明によれば、曲を構成する各音毎に臨時記号の要否を判定し、臨時記号を必要とする対象音と判定されると、その対象音より時間的に前方に存在し、かつ当該対象音と同じ小節内で同音高の該当音を検索し、該当音が検索されると、その該当音に付与されている臨時記号を、対象音の臨時記号に設定する。そして、対象音に設定された臨時記号を、曲を構成する各音と共に楽譜上に表示するので、臨時記号を見易く表示させることができる。
【手続補正１３】
【補正対象書類名】明細書
【補正対象項目名】００２１
【補正方法】変更
【補正の内容】
【００２１】
請求項２、６に記載の発明によれば、曲を構成する各音毎に臨時記号の要否を判定し、臨時記号を必要とする対象音と判定されると、その対象音より時間的に前方に存在し、当該対象音と同音高の該当音を検索し、該当音が検索されると、その該当音に付与されている臨時記号を、対象音の臨時記号に設定する。そして、対象音に設定された臨時記号を、曲を構成する各音と共に楽譜上に表示するので、臨時記号を見易く表示させることができる。
【手続補正１４】
【補正対象書類名】明細書
【補正対象項目名】００２２
【補正方法】変更
【補正の内容】
【００２２】
請求項３、７に記載の発明によれば、曲を構成する各音毎に臨時記号の要否を判定し、臨時記号を必要とする対象音と判定されると、その対象音と時間的に対応する和音の構成音中に、当該対象音と同音高の該当音を検索し、該当音が検索されると、その該当音に付与されている臨時記号を、対象音の臨時記号に設定する。そして、対象音に設定された臨時記号を、曲を構成する各音と共に楽譜上に表示するので、臨時記号を見易く表示させることができる。
【手続補正１５】
【補正対象書類名】明細書
【補正対象項目名】００２３
【補正方法】変更
【補正の内容】
【００２３】
請求項４、８に記載の発明によれば、曲を構成する各音毎に臨時記号の要否を判定し、臨時記号を必要とする対象音と判定されると、その対象音より時間的に後方に存在し、かつ当該対象音と同じ小節内において当該対象音の音高と半音差の該当音を検索し、該当音が検索されると、対象音の音高と該当音の音高との高低関係に応じて対象音に付与する臨時記号を決定する。そして、対象音に付与された臨時記号を、曲を構成する各音と共に楽譜上に表示するので、臨時記号を見易く表示させることができる。
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】